(57)【要約】【課題】装置間のばらつきに影響されることなく、ディスクの種類を安定して判別することを可能にする。【解決手段】赤レーザ及び青レーザを用いてディスクの表面と記録層における反射レベルをそれぞれ検出し、ディスクの表面と記録層における反射レベルの比Ｒｒ，Ｒｂを算出する。そして、反射レベル比Ｒｒ，Ｒｂをもとにディスクの種類、すなわち赤レーザを用いるＤＶＤ、あるいは青レーザを用いるＨＤ−ＤＶＤの何れであるかを判別する。【選択図】      図５
2007102853.tif 000002
【特許請求の範囲】
【請求項１】
複数種類のディスクに対してそれぞれに応じた複数の異なる波長のレーザ光を用いて情報の記録／再生を行う光ディスク装置において、
特定の波長のレーザ光を用いてディスクの表面と記録層における反射レベルを検出する反射レベル検出手段と、
前記反射レベル検出手段によって検出されたディスクの表面と記録層における反射レベルの比を算出する反射レベル比算出手段と、
前記反射レベル比算出手段によって算出された反射レベル比をもとに前記ディスクの種類を判別するディスク判別手段と
を具備したことを特徴とする光ディスク装置。
【請求項２】
複数種類のディスクに対してそれぞれに応じた複数の異なる波長のレーザ光を用いて情報の記録／再生を行う光ディスク装置において、
第１及び第２の波長のレーザ光を用いてディスクの表面と記録層における反射レベルを検出する反射レベル検出手段と、
前記第１の波長のレーザ光を用いた時の前記反射レベル検出手段によって検出されたディスクの表面と記録層における反射レベルの比を示す第１の反射レベル比と、前記第２の波長のレーザ光を用いた時の前記反射レベル検出手段によって検出されたディスクの表面と記録層における反射レベルの比を示す第２の反射レベル比とを算出する反射レベル比算出手段と、
前記反射レベル比算出手段によって算出された前記第１の反射レベル比と前記第２の反射レベル比とをもとに前記ディスクの種類を判別するディスク判別手段と
を具備したことを特徴とする光ディスク装置。
【請求項３】
前記第１の反射レベル比と前記第２の反射レベル比との差が所定以上であるか否かを判別する反射レベル比判別手段と、
前記反射レベル比判別手段により前記第１の反射レベル比と前記第２の反射レベル比との差が所定以上でないと判別された場合に、条件を変更して前記反射レベル検出手段による反射レベルの検出を再度実行させる再実行手段とをさらに具備したことを特徴とする請求項２記載の光ディスク装置。
【請求項４】
前記ディスク判別手段によって判別されたディスクの種類に対応する波長のレーザ光を用いた光スポット制御を実行する光スポット制御手段と、
前記光スポット制御手段による光スポット制御が正常であるか否かを判別する状態判別手段と、
前記状態判別手段により光スポット制御が正常に実行されていないと判別された場合に、条件を変更して前記光スポット制御手段による光スポット制御を再度実行させる光スポット制御再実行手段とをさらに具備したことを特徴とする請求項２記載の光ディスク装置。
【請求項５】
前記光スポット制御再実行手段により光スポット制御が再度実行される場合に、前記光スポット制御手段は、前記第１の波長のレーザ光を用いた光スポット制御を優先して複数回実行し、その後、前記第１の波長のレーザ光より波長の短い前記第２のレーザ光を用いた光スポット制御を実行することを特徴とする請求項４記載の光ディスク装置。
【請求項６】
複数種類のディスクに対してそれぞれに応じた複数の異なる波長のレーザ光を用いて情報の記録／再生を行う光ディスク装置におけるディスク判別方法において、
特定の波長のレーザ光を用いてディスクの表面と記録層における反射レベルを検出する反射レベル検出ステップと、
前記反射レベル検出ステップによって検出されたディスクの表面と記録層における反射レベルの比を算出する反射レベル比算出ステップと、
前記反射レベル比算出手段によって算出された反射レベル比をもとに前記ディスクの種類を判別するディスク判別ステップとを有することを特徴とするディスク判別方法。
【請求項７】
複数種類のディスクに対してそれぞれに応じた複数の異なる波長のレーザ光を用いて情報の記録／再生を行う光ディスク装置におけるディスク判別方法において、
第１及び第２の波長のレーザ光を用いてディスクの表面と記録層における反射レベルを検出する反射レベル検出ステップと、
前記反射レベル検出ステップによって検出されたディスクの表面と記録層における反射レベルの比を算出する反射レベル比算出ステップと、
前記反射レベル比算出ステップによって算出された、前記第１の波長のレーザ光を用いた時の第１の反射レベル比と前記第２の波長のレーザ光を用いた時の第２の反射レベル比とをもとに前記ディスクの種類を判別するディスク判別ステップとを有することを特徴とするディスク判別方法。
【発明の詳細な説明】
【技術分野】
【０００１】
本発明は、複数の異なる波長のレーザ光を用いて複数種類のディスクに対して情報の記録／再生を行う光ディスク装置、及び同装置におけるディスク判別方法に関する。
【背景技術】
【０００２】
近年、光ディスク装置は、複数種類の光ディスクに対して、それぞれに応じた波長のレーザ光を用いて情報の記録再生をすることができる。光ディスクとしては、例えばＣＤ（Compact Disk）系ディスク（ＣＤ−ＲＯＭ、ＣＤ−Ｒ、ＣＤ−ＲＷ等）、ＤＶＤ（Digital Versatile Disk）系ディスク（ＤＶＤ−ＲＯＭ、ＤＶＤ±Ｒ、ＤＶＤ±ＲＷ等）の他、青レーザを用いるＨＤ−ＤＶＤ（High Definition ＤＶＤ）がある。
【０００３】
従来では、複数種類の光ディスクを扱うことができる装置において、フォーカスエラー信号の所定のＳ字波形が示す電圧レベルと、戻り光によって生成される電圧レベルのそれぞれを比較演算し、及び／又は適正な光ディスクが装填されたときの基準値のそれぞれとを比較演算して装填された光ディスクを判別する方法が考えられている（特許文献１参照）。
【特許文献１】特開２００４−１５２４５２
【発明の開示】
【発明が解決しようとする課題】
【０００４】
このように特許文献１に記載された装置では、異なる波長のレーザで読み取ったフォーカスエラー信号レベルの絶対値を予め決められた固定的な基準値と比較することによってディスクを判別している。しかし、実際の光ディスク装置では、装置によってゲイン差、光パワーのばらつきがあったり、動作環境が異なるなどの理由により、同じディスクを対象としていたとしても読み取られるフォーカスエラー信号レベルに変動があるため、特定の基準値を用いた絶対値比較では正しくディスクの判別ができない可能性があった。
【０００５】
本発明の課題は、装置間のばらつきに影響されることなく、ディスクの種類を安定して判別することが可能な光ディスク装置、ディスク判別方法を提供することにある。
【課題を解決するための手段】
【０００６】
本発明の実施形態における光ディスク装置は、複数種類のディスクに対してそれぞれに応じた複数の異なる波長のレーザ光を用いて情報の記録／再生を行う光ディスク装置において、特定の波長のレーザ光を用いてディスクの表面と記録層における反射レベルを検出する反射レベル検出手段と、前記反射レベル検出手段によって検出されたディスクの表面と記録層における反射レベルの比を算出する反射レベル比算出手段と、前記反射レベル比算出手段によって算出された反射レベル比をもとに前記ディスクの種類を判別するディスク判別手段とを具備したことを特徴とする。
【０００７】
また本発明は、複数種類のディスクに対してそれぞれに応じた複数の異なる波長のレーザ光を用いて情報の記録／再生を行う光ディスク装置において、第１及び第２の波長のレーザ光を用いてディスクの表面と記録層における反射レベルを検出する反射レベル検出手段と、前記反射レベル検出手段によって検出されたディスクの表面と記録層における反射レベルの比を算出する反射レベル比算出手段と、前記反射レベル比算出手段によって算出された、前記第１の波長のレーザ光を用いた時の第１の反射レベル比と前記第２の波長のレーザ光を用いた時の第２の反射レベル比とをもとに前記ディスクの種類を判別するディスク判別手段とを具備したことを特徴とする。
【発明の効果】
【０００８】
本発明によれば、ディスクの種類の判別を固定的な基準値との比較によって行わず、波長依存性のないディスクの表面の反射レベルと、波長依存性のある記録層の反射レベルとの比をもとにディスクの種類を判別するので、装置間のばらつきに影響されることなく、ディスクの種類を安定して判別することが可能となる。
【発明を実施するための最良の形態】
【０００９】
以下、図面を参照して本発明の実施の形態について説明する。
【００１０】
図１は、本実施形態における光ディスク装置の構成を示すブロック図である。
【００１１】
記録媒体としての光ディスク１０は、表面にスパイラル状のトラックが形成されており、スピンドルモータ２１によって回転駆動される。本実施形態における光ディスク装置では、光ディスク１０として例えばＣＤ（Compact Disk）とＤＶＤ（Digital Versatile Disk）、及びＨＤ−ＤＶＤ（High Definition ＤＶＤ）の３種類が使用可能であるものとして説明する。
【００１２】
光ディスク１０に対する情報の記録、再生は、光ピックアップヘッド（ＰＵＨ）１１から出力されるレーザ光によって行われる。
【００１３】
光ピックアップヘッド１１には、レーザダイオード１１ａ、コリメータレンズ、ビームスプリッタ、対物レンズ、シリンカドリカルレンズ、フォトディテクタ１１ｂ、レンズポジションセンサ等が含まれている。
【００１４】
レーザダイオード１１ａは、レーザ制御回路１６による駆動制御によりレーザ光を出力する。なお、本実施形態における光ディスク装置では、複数の異なる波長のレーザを出力する複数のレーザダイオード１１ａが設けられており、装着された光ディスク１０（ＣＤ、ＤＶＤ、ＨＤ−ＤＶＤ）の何れかに応じてレーザ光が出力される。すなわち、ＣＤ用の赤外レーザ（波長：７８０ｎｍ）、ＤＶＤ用の赤レーザ（波長：６５０ｎｍ）、ＨＤ−ＤＶＤ用の青レーザ（波長：４０５ｎｍ）が設けられている。
【００１５】
レーザダイオード１１ａから出力されたレーザ光は、コリメータレンズ、ビームスプリッタ、光ピックアップヘッド１１を介して光ディスク１０上に照射される。光ディスク１０からの反射光は、光ピックアップヘッド１１、ビームスプリッタ、及びシリンカドリカルレンズを介して、フォトディテクタ１１ｂに導かれる。フォトディテクタ１１ｂは、例えば４分割の光検出セルから成り、これら光検出セルの検知信号をＲＦアンプ１３に出力する。フォトディテクタ１１ｂには、レーザダイオード１１ａの各レーザ（ＣＤ用の赤外レーザ、ＤＶＤ用の赤レーザ、ＨＤ−ＤＶＤ用の青レーザ）のそれぞれに対応するフォトダイオードが含まれている。
【００１６】
ＲＦアンプ１３は、フォトディテクタ１１ｂからの信号を処理して出力するもので、レーザ光のビームスポット中心とトラック中心との誤差を示すトラッキングエラー信号、ジャストフォーカスからの誤差を示すフォーカスエラー信号、例えばフォトディテクタ１１ｂの４分割の光検出セルから出力される信号を加算した全加算信号（ＲＦ信号）などを生成して出力する。全加算信号は、光ディスク１０に対するレーザ光の反射レベルを表す。ＲＦアンプ１３には、ＣＤ用回路１３ａ、ＤＶＤ用回路１３ｂ、及びＨＤ／Ｂｌｕｅ用回路１３ｃが設けられている。各回路は、光ディスク１０に対して照射されるレーザ光の波長に応じて、すなわちＣＤ用の赤外レーザ、ＤＶＤ用の赤レーザ、あるいはＨＤ−ＤＶＤ用（またはＢｌｕｅ−ｒａｙディスク用）の青レーザが点灯された場合に、それぞれに対応してフォトディテクタ１１ｂから出力される信号に対する処理を実行する。
【００１７】
ＲＦアンプ１３により生成された全加算信号（ＲＦ信号）は、エラー信号検出／保持回路１４に供給され保持される。本実施形態におけるディスク判別処理では、エラー信号検出／保持回路１４により保持される全加算信号（ＲＦ信号）のレベル、すなわち光ディスク１０に対してレーザ光を照射した際のディスク表面及び記録層における反射レベルをもとにディスク判別処理が実行される。
【００１８】
一方、ＲＦアンプ１３から出力されるトラッキングエラー信号及びフォーカスエラー信号はサーボ制御回路１８に供給される。
【００１９】
サーボ制御回路１８は、フォーカスエラー信号に応じて、ドライバ２０によりアクチュエータ２３（フォーカシングアクチュエータ）を駆動させて、光ピックアップヘッド１１から出力されるレーザ光が光ディスク１０の記録膜上にジャストフォーカスとなるようにフォーカスサーボを実行する。
【００２０】
また、サーボ制御回路１８は、ＲＦアンプ１３から出力されるトラッキングエラー信号に応じて、ドライバ２０によりスレッドモータ２２を駆動させて、光ピックアップヘッド１１から出力されるレーザ光が光ディスク１０上に形成されたトラック上を常にトレースするようにトラッキングサーボを実行する。
【００２１】
ドライバ２０は、サーボ制御回路１８の制御のもとで、光ディスク１０を回転させるスピンドルモータ２１、光ピックアップヘッド１１を半径方向（トラッキング方向）に移動させるスレッドモータ２２、及び光ピックアップヘッド１１の対物レンズをフォーカシング方向（レンズの光軸方向）およびトッラキング方向（光ディスクの半径方向）に移動させるアクチュエータ２３を駆動する。
【００２２】
ＣＰＵ２５は、メモリ２６（ＲＡＭ）を作業エリアとして使用して装置全体を総合的に制御するもので、メモリ２６（ＲＯＭ）に記憶されたプログラムに基づいて、インタフェース回路２７を介してホストコンピュータから提供される動作コマンドに従って各部を制御する。本実施形態の光ディスク装置は、装着されたディスクの種類（ＣＤ−ＲＯＭ、ＤＶＤ、ＨＤ−ＤＶＤ）を判別するためのディスク判別処理を実行する。本実施形態におけるディスク判別処理では、ドライバ２０によりアクチュエータ２３を駆動させてフォーカスアップ（対物レンズの光ディスク１０方向への移動）する間に、特定の波長のレーザ光を用いて光ディスク１０の表面と記録層における反射レベルを検出し、この検出されたディスクの表面と記録層における反射レベルの比をもとにディスクの種類を判別する。
【００２３】
次に、本実施形態における光ディスク装置のディスク判別処理のための動作について説明する。  
本実施形態の光ディスク装置では、装着された光ディスク１０の種類の判別を、光ディスク１０に形成される記録層の反射率に波長依存性があり、光ディスク１０の表面については波長依存性が小さいことを利用する。すなわち、光ディスク１０の基板については、例えばポリカーボネイトが用いられており、光ピックアップヘッド１１から照射されるレーザ光が何れのディスク（ＣＤ，ＤＶＤ，ＨＤ−ＤＶＤ）用であるかに関係なくほぼ一定の反射レベルを示す。これに対して光ディスク１０の記録層については、ディスクに対応する波長のレーザ光が照射された場合に高い反射レベルを表す。例えば、ＨＤ−ＤＶＤ用の青レーザが用いられた場合、装着された光ディスク１０がＨＤ−ＤＶＤであれば高い反射レベルを表すのに対して、ＤＶＤでは反射レベルが低くなる。本実施形態では、光ディスク１０の記録層における反射レベルの絶対値に対して予め決められた基準値と比較するのではなく、表面の反射レベルに対する比（反射レベル比）をもとめ、この反射レベル比について基準値と比較することでディスクの種類を判別する。
【００２４】
図２には、アクチュエータ２３を駆動して光ピックアップヘッド１１をフォーカスアップした際に検出される信号波形の一例を示している。
【００２５】
図２（ｂ）は、アクチュエータ２３に対する駆動量（対物レンズの移動量）を示すもので、対物レンズが光軸方向に一定に移動するようにアクチュエータ２３が駆動されることを示している。図２（ａ）は、フォトディテクタ１１ｂから出力されるＳ字信号、図２（ｃ）はＲＦアンプ１３により生成される全加算信号（ＲＦ信号）を示している。全加算信号（ＲＦ信号）が光ディスク１０からの反射レベルを表す。
【００２６】
図２に示すように、レーザダイオード１１ａの特定のレーザが点灯された状態でアクチュエータ２３が駆動され、フォーカスアップが開始されると、ｔ＝Ａのタイミングにおいて所定値以上の反射レベルが表れ、その後、ｔ＝Ｂのタイミングで所定値以上の反射レベルが表れる。すなわち、最初に表れる反射レベルが光ディスク１０の表面によるもので、後に表れる反射レベルが記録層によるものである。
【００２７】
次に、本実施形態における光ディスク装置のディスク判別の動作について、図５に示すフローチャートを参照しながら説明する。  
ここでは、赤レーザが使用されるＤＶＤと、青レーザが用いられるＨＤ−ＤＶＤを判別する赤青判定処理について説明する。
【００２８】
まず、レーザ制御回路１６によりレーザダイオード１１ａ（赤レーザ）を点灯させて（ステップＡ１）、赤レーザ光を用いて、装着された光ディスク１０の表面と記録層との信号反射レベル比の測定を行う（ステップＡ２）。
【００２９】
すなわち、図２に示すように、ドライバ２０によりアクチュエータ２３（フォーカシングアクチュエータ）を駆動して対物レンズをフォーカスアップし、光ディスク１０からの反射光をフォトディテクタ１１ｂ（赤レーザ用）により検出する。ＲＦアンプ１３のＤＶＤ用回路１３ｂは、フォトディテクタ１１ｂからの信号をもとに全加算信号（ＲＦ信号）を生成してエラー信号検出／保持回路１４に出力する。  
図３（ａ）には、赤レーザを用いた場合の、光ディスク１０の表面の反射レベル（Ｖａ＿Ｒｅｄ）と記録層の反射レベル（Ｖｂ＿Ｒｅｄ）とを示している。
【００３０】
ＣＰＵ２５は、赤レーザを用いたフォーカスアップにより検出される表面の反射レベル（Ｖａ＿Ｒｅｄ）と記録層における反射レベル（Ｖｂ＿Ｒｅｄ）との比（Ｒｒ）（第１の反射レベル比）、すなわちＲｒ＝（Ｖｂ＿Ｒｅｄ）／（Ｖａ＿Ｒｅｄ）を算出して、表面の反射レベルに対する記録層の反射レベル比を求める。
【００３１】
次に、レーザ制御回路１６によりレーザダイオード１１ａ（青レーザ）を点灯させて（ステップＡ３）、赤レーザ光を用いて、装着された光ディスク２０の表面と記録層との信号反射レベル比の測定を行う（ステップＡ４）。
【００３２】
すなわち、図２に示すように、ドライバ２０によりアクチュエータ２３（フォーカシングアクチュエータ）を駆動して対物レンズをフォーカスアップし、光ディスク１０からの反射光をフォトディテクタ１１ｂ（青レーザ用）により検出する。ＲＦアンプ１３のＨＤ／Ｂｌｕｅ用回路１３ｃは、フォトディテクタ１１ｂからの信号をもとに全加算信号（ＲＦ信号）を生成してエラー信号検出／保持回路１４に出力する。  
図３（ｂ）には、青レーザを用いた場合の、光ディスク１０の表面の反射レベル（Ｖａ＿Ｂｌｕｅ）と記録層の反射レベル（Ｖｂ＿Ｂｌｕｅ）とを示している。
【００３３】
ＣＰＵ２５は、青レーザを用いたフォーカスアップにより検出される表面の反射レベル（Ｖａ＿Ｂｌｕｅ）と記録層における反射レベル（Ｖｂ＿Ｂｌｕｅ）との比（Ｒｂ）（第２の反射レベル比）、すなわちＲｂ＝（Ｖｂ＿Ｂｌｕｅ）／（Ｖａ＿Ｂｌｕｅ）を算出して、表面の反射レベルに対する記録層の反射レベルの比を求める。
【００３４】
次に、ＣＰＵ２５は、赤レーザ点灯時の比率測定により得られた反射レベル比Ｒｒと、青レーザ点灯時の比率測定により得られた反射レベル比Ｒｂとが、ディスク判別を安定して実行できる程度に十分に離れているか、すなわち予め決められた所定以上の差があるかを判別する。ここでは、反射レベル比Ｒｒと反射レベル比Ｒｂとの比（Ｒｒ／Ｒｂ）とが、（１００−α）％＜Ｒｒ／Ｒｂ＜（１００＋α）％の関係にあるか否かにより判別する（ステップＡ５）。なお、αは、ディスク判別を安定して実行できる程度に反射レベル比Ｒｒ，Ｒｂの値が離れているかを判別するために予め設定された値である。
【００３５】
図４は、（１００−α）％＜Ｒｒ／Ｒｂ＜（１００＋α）％の判定について説明するための図である。図４に示すように、（１００−α）％≧Ｒｒ／ＲｂであればＨＤ−ＤＶＤを安定して判別することができ、またＲｒ／Ｒｂ≧（１００＋α）％であればＤＶＤを安定して判別することができることを表している。
【００３６】
ここで、比（Ｒｒ／Ｒｂ）の値が（１００−α）％と（１００＋α）％の範囲に含まれる場合（ステップＡ５、Ｙｅｓ）、反射レベル比Ｒｒと反射レベル比Ｒｂとの差が所定以上でないと判別することができる。この場合、光ディスク１０の表面における反射レベルが赤レーザと青レーザを用いた何れの場合でもほぼ同じであるので、本来、反射依存性に応じて異なる反射レベルを示す記録層における反射レベルが近い値を示していることになる。この状況は、例えば光ディスク１０にレーザ光が照射されている光スポットの位置にゴミや汚れが付着しているために、正しい反射レベルが得られていないといった他の要因により正しく反射レベルが検出されていない可能性がある。
【００３７】
そこで、ＣＰＵ２５は、ドライバ２０によりスピンドルモータ２１あるいはスレッドモータ２２を駆動させ、現在のレーザ光が照射されている光スポットの位置を変更する（ステップＡ７）。そして、前述した処理をリトライする。すなわち、再度、赤レーザと青レーザのそれぞれを用いたフォーカスアップを実行して、光ディスク１０の表面と記録層における反射レベル比Ｒｒ，Ｒｂを算出し、（１００−α）％＜Ｒｒ／Ｒｂ＜（１００＋α）％の関係について判定する（ステップＡ１〜Ａ５）。
【００３８】
なお、光スポットの位置を変更する方法としては、スピンドルモータ２１をわずかに回転させて周方向に移動させる、あるいはスレッドモータ２２を駆動して光ピックアップヘッド１１を半径方向に移動にさせる（チルトさせても良い）ことにより行う。
【００３９】
なお、ステップＡ１〜Ａ５の処理を繰り返し実行するリトライについては、例えば３回実行するものとする（ただし、３回に限定されるものではない）。３回リトライを実行しても反射レベル比Ｒｒ，Ｒｂの値に差があらわれない場合には（ステップＡ６、Ｙｅｓ）、装着された光ディスク１０に対する記録／再生では赤レーザを点灯させる、すなわち装着された光ディスク１０がＤＶＤであると見なして処理を終了する（ステップＡ９）。
【００４０】
一方、反射レベル比Ｒｒと反射レベル比Ｒｂとの比（Ｒｒ／Ｒｂ）とが、（１００−α）％＜Ｒｒ／Ｒｂ＜（１００＋α）％の関係にないと判別できた場合（ステップＡ５、Ｎｏ）、Ｒｒ／Ｒｂ≧（１００＋α）の関係にあるかを判別する。この関係が成立する場合、すなわち赤レーザを用いた場合の反射レベル比Ｒｒの方が青レーザを用いた時の反射レベル比Ｒｂ以上であるので、装着された光ディスク１０に対する記録／再生では赤レーザを点灯させる、すなわち装着された光ディスク１０がＤＶＤであると判別して処理を終了する（ステップＡ９）。
【００４１】
また、Ｒｒ／Ｒｂ≧（１００＋α）の関係が成立しない場合には、装着された光ディスク１０に対する記録／再生では青レーザを点灯させる、すなわち装着された光ディスク１０がＨＤ−ＤＶＤであると判別して処理を終了する（ステップＡ１０）。
【００４２】
こうして、赤レーザと青レーザを用いてフォーカスアップを実行し、それぞれにおいて検出された光ディスク１０の表面における反射レベルと、波長依存性のある記録層における反射レベルとの比Ｒｒ，Ｒｂをもとにして、光ディスク１０の種類を判別することができる。ここでは、光ディスク１０から検出された反射レベルの絶対値と基準値とを比較するのではなく、実際のフォーカスアップによって検出された表面における反射レベルと記録層における反射レベルとの比をもとにした判別を行っているため、装置個々のゲイン差や光パワーのばらつき等の違いや動作環境の違いによる変化にも影響されずに安定してディスク判別ができる。
【００４３】
なお、図５に示す処理では、赤レーザと青レーザをそれぞれ用いてフォーカスアップすることにより検出される反射レベル比Ｒｒ，Ｒｂの比（Ｒｒ／Ｒｂ）をもとに、ＤＶＤとＨＤ−ＤＶＤ（赤レーザ、青レーザ）とを区別しているが、それぞれの反射レベル比Ｒｒ，Ｒｂに対して予め設定された基準値との比較により判別することも可能である。
【００４４】
この場合、赤レーザ点灯による比率測定で得られた反射レベル比Ｒｒに対する第１の基準値と、青レーザ点灯による比率測定で得られた反射レベル比Ｒｂに対する第２の基準値を設定し、何れか一方において基準値よりも反射レベル比が大きい場合に、該当する基準値より大きいと判別された反射レベル比に対応するディスクであると判別することができる。例えば、反射レベル比Ｒｒが第１の基準値よりも大きく、反射レベル比Ｒｂが第２の基準値よりも大きくない場合には、反射レベル比Ｒｒに対応する赤レーザに波長依存性を有するＤＶＤであると判別することができる。
【００４５】
ここでは、光ディスク１０から検出された反射レベルの絶対値と基準値とを比較するのではなく、実際のフォーカスアップによって検出された表面における反射レベル比と基準値との比較であるため、装置個々の違いや動作環境の違いに影響されずに安定してディスク判別ができる。
【００４６】
次に、本実施形態における光ディスク装置のＣＤを含めたディスク判別の動作について、図６及び図７に示すフローチャートを参照しながら説明する。
【００４７】
まず、レーザ制御回路１６によりレーザダイオード１１ａの赤レーザを点灯させ、ドライバ２０によりアクチュエータ２３を駆動してフォーカスアップを開始させる（ステップＢ１，Ｂ２）。
【００４８】
フォーカスアップが開始されてからタイマＸｍｓが経過するまで、光ディスク１０の表面における反射レベル（レベル１）が検出されるかを監視する（ステップＢ７）。なお、タイマＸｍｓは、図２に示すように、フォーカスアップが開始されてから、光ディスク１０の表面における反射レベル（レベル１）が検出されるまでの十分な時間が設定されている。
【００４９】
ここで、光ディスク１０の表面における反射レベル（レベル１）がタイマＸｍｓまでに検出されなかった場合（ステップＢ３、Ｎｏ）、光ディスク１０の表面が検出されなかったと判別し（ステップＢ４）、ドライバ２０によりスピンドルモータ２１あるいはスレッドモータ２２を駆動して、現在のレーザ光が照射されている光スポットの位置を変更する（ステップＢ６）。そして、再度、フォーカスアップを開始して、前述と同様にして、光ディスク１０の表面における反射レベルの検出を行う（ステップＢ２，Ｂ３，Ｂ７）。
【００５０】
なお、再度、タイマＸｍｓまでに反射レベル（レベル１）が検出されなかった場合には、スポット光の位置を変更してリトライを既に実行済みであるので（ステップＢ５、Ｙｅｓ）、光ディスク１０が光ディスク装置に装着されていないと判別する（Ｎｏ  Ｄｉｓｃ）。
【００５１】
一方、タイマＸｍｓまでに反射レベル（レベル１）が検出された場合（ステップＢ７、Ｙｅｓ）、フォーカスアップが開始されてからのタイマ値［Ａ］を保存しておく（ステップＢ８）。
【００５２】
さらに、フォーカスアップを継続してタイマＹｍｓ（Ｙｍｓ＞Ｘｍｓ）が経過するまで（ステップＢ９）、光ディスク１０の記録層における反射レベル（レベル２）が検出されるかを監視する（ステップＢ１２）。なお、タイマＹｍｓは、図２に示すように、フォーカスアップが開始されてから、各光ディスク１０（ＣＤ，ＤＶＤ、ＨＤ−ＤＶＤ）の記録層における反射レベルが検出されることが期待できる十分な時間が設定されている。
【００５３】
ここで、光ディスク１０の記録層における反射レベル（レベル２）がタイマＹｍｓまでに検出された場合（ステップＢ１２７、Ｙｅｓ）、フォーカスアップが開始されてからのタイマ値［Ｂ］を保存しておく（ステップＢ１３）。
【００５４】
そして、タイマ値［Ｂ］とタイマ値［Ａ］との差（Ｂ−Ａ）、すなわち光ディスク１０の表面から記録層が検出されるまでの時間が、ＤＶＤまたはＨＤ−ＤＶＤと、ＣＤの何れであるか判別するために設定された基準タイマ値より短いか否かを判別する（ステップＢ１４）。
【００５５】
すなわち、ＤＶＤまたはＨＤ−ＤＶＤと、ＣＤとは表面から記録層までの距離が異なっているため、フォーカスアップを一定に行った場合、ＤＶＤまたはＨＤ−ＤＶＤの方が表面の反射レベル（レベル１）が検出されてから記録層の反射レベル（レベル２）が検出されるまでの時間が短い。従って、この構造の違いを利用して判別している。
【００５６】
ここで、基準タイマ値よりタイマ値［Ｂ］とタイマ値［Ａ］との差（Ｂ−Ａ）が小さくない場合（ステップＢ１４、Ｎｏ）、レーザ制御回路１６によりＣＤ用の赤外レーザを点灯させて（ステップＢ１０）、フォーカスアップを実行し、ＣＤ用のレーザに依存性のある記録層からの反射レベルが検出されるかを監視する。ここで、記録層における反射レベルが検出された場合（ステップＢ１１、Ｙｅｓ）、装着された光ディスク１０がＣＤであると判別することができる。なお、ここで記録層からの反射レベルが検出されなかった場合、ＨＤ−ＤＶＤを想定したディスク判別を実行する（後述する）。
【００５７】
一方、光ディスク１０の記録層における反射レベル（レベル２）がタイマＹｍｓまでに検出されなかった場合（ステップＢ９、Ｎｏ）、現在、ＤＶＤ用の赤レーザを用いたフォーカスアップにより記録層が検出されなかったことから、装着された光ディスク１０がＣＤあるいはＨＤ−ＤＶＤであると想定する。
【００５８】
この場合、まずレーザ制御回路１６によりＣＤ用の赤外レーザを点灯させて（ステップＢ１０）、フォーカスアップを実行して、ＣＤ用のレーザに依存性のある記録層からの反射レベルが検出されるかを監視する。
【００５９】
ここで、記録層における反射レベルが検出された場合（ステップＢ１１、Ｙｅｓ）、装着された光ディスク１０がＣＤであると判別することができる。
【００６０】
また、記録層からの反射レベルが検出されなかった場合（ステップＢ１１、Ｎｏ）、装着された光ディスク１０がＣＤではないと判別できるので、ＨＤ−ＤＶＤを想定したディスク判別を実行する（後述する）。
【００６１】
なお、基準タイマ値よりタイマ値［Ｂ］とタイマ値［Ａ］との差（Ｂ−Ａ）が小さい場合（ステップＢ１４、Ｙｅｓ）、光ディスク装置に装着された光ディスク１０がＤＶＤまたはＨＤ−ＤＶＤであると想定される。
【００６２】
この場合、図５のフローチャートにおいて説明したＤＶＤとＨＤ−ＤＶＤとを判別する赤青判定処理を実行する（ステップＢ１５）。この結果、青レーザ点灯（ＨＤ−ＤＶＤ）と判別された場合、ＨＤ−ＤＶＤを想定したディスク判別を実行する。
【００６３】
すなわち、ＨＤ−ＤＶＤを想定した場合のディスク判別では、青レーザを用いて実際に光スポット制御を実行することにより、装着された光ディスク１０がＨＤ−ＤＶＤであることを最終的に確認する（ステップＢ２３〜Ｂ２７）。
【００６４】
まず、レーザの点灯を一旦停止した後（ステップＢ２３）、レーザ制御回路１６によりＨＤ−ＤＶＤ用の青レーザを点灯させ、青レーザを用いてフォーカスオンさせる（ステップＢ２４）。すなわち、青レーザを光ディスク１０に照射し、その反射光に応じてフォトディテクタ１１ｂから出力される信号をもとにＲＦアンプ１３（ＨＤ／Ｂｌｕｅ用回路１３ｃ）に生成されるフォーカスエラー信号をもとに、サーボ制御回路１８によりフォーカシングを実行する。また、ＲＦアンプ１３から出力されるトラッキングエラー信号（ＴＥ）の振幅が十分な状態であればこの信号をもとにトラッキングを実行する（ステップＢ２５、Ｙｅｓ）。
【００６５】
そして、ＨＤ−ＤＶＤのＢＣＡ（Burst Cutting Area）に相当する領域からＩＤを読み取り、正常にＩＤが読み取られた場合には（ステップＢ２６）、さらに「System Lead-In」領域のデータを読み取ることにより、ＨＤ−ＤＶＤであると確定する（ステップＢ２７）。
【００６６】
なお、トラッキングエラー信号の振幅が十分でなく（振幅を判別する基準値以下）、光スポット制御を安定して継続できない場合（ステップＢ２５、Ｎｏ）、あるいはＨＤ−ＤＶＤを想定した領域からＩＤが正常に読みとれなかった場合（ステップＢ２６、Ｎｏ）には、ＨＤ−ＤＶＤではない可能性があるためＤＶＤを想定したディスク判別の処理に移行する。
【００６７】
ただし、本実施形態では、ＨＤ−ＤＶＤを想定した処理（ステップＢ２３〜Ｂ２７）については、異なるパラメータにより２回まで実行するものとしている（ステップＢ３０）。この処理を２回実行して確定されなかった場合には（ステップＢ２８，Ｂ２９、Ｙｅｓ）、装着された光ディスク１０がＨＤ−ＤＶＤであると見なし、２回実行して状態が良好であった方のパラメータを用いて光ディスク１０に対する処理を実行する。
【００６８】
一方、ステップＢ１５の赤青判定処理によって、赤レーザ点灯（ＤＶＤ）と判別された場合、ＤＶＤを想定したディスク判別を実行する。本実施形態では、何れかのディスクの種類が確定されるまで最大８回のリトライを実行するものとする。すなわち、ＤＶＤを想定したリトライ２回、ＣＤを想定したリトライ１回、ＨＤ−ＤＶＤを想定したリトライ１回を１セットとし、これを２セット実行する。
【００６９】
ここでのリトライは、例えば赤青判定処理による記録層の反射レベルをもとにした判別により、確実に判別ができないディスクが存在していた場合を想定している。例えば、反射層を形成する材料が赤レーザと青レーザの何れの場合についても同等の反射レベルとなる場合（図５のフローチャートでリトライが３回実行された場合）に、以下に説明するように条件（パラメータ）を変更しながらリトライを繰り返すことでディスクを判別できるようにしている。
【００７０】
また、ＨＤ−ＤＶＤを想定した処理ではエネルギーが高い青レーザが用いられ、記録可能なディスクに対して影響を及ぼす可能性があるため、装着された光ディスク１０をＤＶＤであると想定した処理を優先して複数回実行するようにしている。これにより、ＤＶＤについてはより確実に判別されるようになり、青レーザを照射することによる影響を受ける可能性を低減している。
【００７１】
まず、レーザ制御回路１６によりＤＶＤ用の赤レーザを点灯させ、赤レーザを用いてフォーカスオンさせる（ステップＢ１８）。すなわち、赤レーザを光ディスク１０に照射し、その反射光に応じてフォトディテクタ１１ｂから出力される信号をもとにＲＦアンプ１３（ＤＶＤ用回路１３ｂ）に生成されるフォーカスエラー信号をもとに、サーボ制御回路１８によりフォーカシングを実行する。
【００７２】
また、ＲＦアンプ１３から出力されるトラッキングエラー信号（ＴＥ）の振幅が十分な状態であればこの信号をもとにトラッキングを実行する。
【００７３】
ここで、装着された光ディスク１０に対して、例えばＡＤＩＰ（Address In Pre-groove）、ＬＰＰ（Land Pre-Pit）などの読み取りが可能であるか試行する。あるいは、データ復調を行ってデータの読み取りが可能であるかを判別する。
【００７４】
この結果、読み取りが可能である場合（ステップＢ１９、Ｙｅｓ）、光アドレス１０のアドレス読み取りが可能となり、ＩＤが記録されているアドレスに光ビームを移動し、ＤＶＤのＢＣＡ（Burst Cutting Area）に相当する領域からＩＤを読み取り、正常にＩＤが読み取られた場合には（ステップＢ２０）、さらに「Control data」領域のデータを読み取ることによりＤＶＤであると確定する（ステップＢ２１）。
【００７５】
また、ＡＤＩＰ、ＬＰＰなどが読み取れない（ステップＢ１９）、あるいはＤＶＤを想定した領域からＩＤが正常に読みとれなかった場合（ステップＢ２０、Ｎｏ）には、ＤＶＤを想定した判定を２回実行していなければ（ステップＢ２２、Ｎｏ）、リトライ回数に応じたパラメータに変更して（ステップＢ３０）、前述と同様の処理を実行する。なお、赤レーザによるフォーカスオンに失敗した場合には（ステップＢ１８）、パラメータを変更して前述と同様の処理を実行する。この時には、リトライ回数にカウントしないものとする。なお、ここで、フォーカスオンに失敗した場合には、ＣＤを想定した処理に移行するリトライ回数を実行していなければ（ステップＢ２２、Ｎｏ）、ＨＤ−ＤＶＤを想定した処理（ステップＢ２３〜Ｂ２７）を実行するようにフォローチャートを変更することも考えられる。そうすることにより、実際はＨＤ−ＤＶＤであるのに赤青判定処理において誤ってＤＶＤと判定された場合には（ステップＢ１６、赤）、すぐにＨＤ−ＤＶＤを想定した処理に移ることができる。
【００７６】
なお、パラメータの変更には、例えばドライバ２０によりスピンドルモータ２１あるいはスレッドモータ２２を駆動して、光ディスク１０に対する光スポットの位置を変更する、ＲＦアンプ１３におけるフォトディテクタ１１ｂから出力される信号に対するゲインを変更する、ドライバ２０により光ピックアップヘッド１１の対物レンズを移動させてビームスポットサイズを変更する等がある。
【００７７】
こうして、ＤＶＤを対象とした判別を２回実行して確定できなかった場合、次が３回目のリトライとなるため（ステップＢ２２、Ｙｅｓ）、ＣＤを想定した判別を実行する（ステップＢ１０，Ｂ１１）。さらに、ＣＤと確定されなかった場合には、前述と同様にして、ＨＤ−ＤＶＤを想定したディスク判別を実行する（ステップＢ２３〜）。
【００７８】
この結果、ディスク判別が確定されなければ、ＣＤとＨＤ−ＤＶＤを想定したリトライを含めてカウントアップする（ステップＢ１７）。ここでは、１セットの処理、すなわちＤＶＤを想定したリトライ２回、ＣＤを想定したリトライ１回、ＨＤ−ＤＶＤを想定したリトライ１回を実行しているため、リトライ回数が４回となる。
【００７９】
総リトライ回数（８回）が終了していないため、前述と同様の処理を繰り返し実行する。すなわち、何れかのディスクに確定されるまで、ＤＶＤを想定したリトライ２回、ＣＤを想定したリトライ１回、ＨＤ−ＤＶＤを想定したリトライ１回を実行する。
【００８０】
こうして、ＨＤ−ＤＶＤを想定したリトライを２回実行してディスクを確定できなかった場合には（ステップＢ２８，Ｂ２９、Ｙｅｓ）、光ディスク装置に装着された光ディスク１０をＨＤ−ＤＶＤと見なして処理を終了する。
【００８１】
なお、前述した説明では、ＤＶＤを想定したリトライを２回としているが３回以上とすることも可能である。すなわち、ＨＤ−ＤＶＤを想定した処理ではエネルギーが高い青レーザが用いられるため、記録可能なディスクに対して影響を及ぼす可能性があるため、装着された光ディスク１０がＤＶＤであった場合により確実に判別されるように回数を増やすようにして、青レーザが照射される機会を減らすようにすることができる。
【００８２】
なお、図６に示すフローチャートでは、ＣＤについては記録層の位置に基づいて判別しているが、ＣＤについても表面の反射レベルと記録層の反射レベルとの比をもとにして判別するようにしても良い。この場合、ＣＤ用の赤外レーザ（波長：７８０ｎｍ）を用いることにより、ＤＶＤやＨＤ−ＤＶＤと同様にして記録層に波長依存性があるため、この記録層の反射レベルと表面の反射レベルとの比がＣＤを判別するための所定の基準範囲内であれば、ＣＤであることを判別することができる。また、図５のフローチャートの手順に従い、ＣＤとＤＶＤ、ＤＶＤとＨＤ−ＤＶＤ、ＣＤとＨＤ−ＤＶＤのそれぞれについての判定結果に基づいて、ＣＤを含めた各ディスクの種類の判別が可能となる。
【００８３】
さらに、前述した説明では、ＣＤ、ＤＶＤ、ＨＤ−ＤＶＤの３種のディスクを想定して説明しているが、レーザ光に対して反射依存性を有する（特定の波長のレーザ光が照射された場合に高い反射レベルを示す）記録層を持つ他の光ディスクを含めてディスクの判別が可能である。
【００８４】
さらに、上記実施の形態には種々の段階の発明が含まれており、開示される複数の構成要件における適宜の組み合わせにより種々の発明が抽出され得る。例えば、実施の形態に示される全構成要件から幾つかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００８５】
【図１】本実施形態における光ディスク装置の構成を示すブロック図。
【図２】本実施形態におけるアクチュエータ２３を駆動して光ピックアップヘッド１１をフォーカスアップした際に検出される信号波形の一例を示す図。
【図３】赤レーザ及び青レーザを用いた場合の光ディスク１０の表面の反射レベルと記録層の反射レベルを示す図。
【図４】本実施形態における（１００−α）％＜Ｒｒ／Ｒｂ＜（１００＋α）％の判定について説明するための図。
【図５】本実施形態における光ディスク装置のディスク判別の動作について説明するためのフローチャート。
【図６】本実施形態におけるディスク判別の動作について説明するためのフローチャート。
【図７】本実施形態におけるディスク判別の動作について説明するためのフローチャート。
【符号の説明】
【００８６】
１０…光ディスク、１１…光ピックアップヘッド（ＰＵＨ）、１１ａ…レーザダイオード、１１ｂ…フォトディテクタ、１３…ＲＦアンプ、１３ａ…ＣＤ用回路、１３ｂ…ＤＶＤ用回路、１３ｃ…ＨＤ／Ｂｌｕｅ用回路、１４…エラー信号検出／保持回路、１６…レーザ制御回路、１８…サーボ制御回路、２０…ドライバ、２１…スピンドルモータ、２２…スレッドモータ、２３…アクチュエータ、２５…ＣＰＵ、２６…メモリ、２７…インタフェース回路（Ｉ／Ｆ）。
【図１】
2007102853.tif 000003
【図２】
2007102853.tif 000004
【図３】
2007102853.tif 000005
【図４】
2007102853.tif 000006
【図５】
2007102853.tif 000007
【図６】
2007102853.tif 000008
【図７】
2007102853.tif 000009